(57)【特許請求の範囲】
【請求項１】
室内空間を間仕切るための一体型可動式間仕切壁（１）を、２枚の可動式間仕切壁（６・７）を連結して構成し、該可動式間仕切壁（６・７）の下部に、移動輪（２２）と昇降装置（２１）を配置し、上部に上昇時に天井に対して当接させる幕板（２）を配設し、横端面には、係止溝（４１）を有する蝶番ガイド（４０）を配設し、該隣接する可動式間仕切壁（６・７）との間を、前記蝶番ガイド（４０）の係止溝（４１）に、連結具（３０）を脱着可能に係止することで連結し、非連結側の可動式間仕切壁（６・７）の横端面に、柱状の調整間柱（１７）及び伸縮装置（１６）より構成した横幅伸縮部（１５）を取り外し可能に配設し、該調整間柱（１７）を可動式間仕切壁（６・７）の横側面に対して伸縮装置（１６）により伸縮可能に固定したことを特徴とする間仕切壁。
【請求項２】
請求項１記載の間仕切壁において、前記横幅伸縮部（１５）を、可動式間仕切壁（６・７）の側の前記蝶番ガイド（４０）に、脱着可能としたことを特徴とする間仕切壁。
【請求項３】
請求項２記載の間仕切壁において、前記調整間柱（１７）を平面断面視凸形とし、前記可動式間仕切壁（６・７）の横端面を凹状部材で構成し、該凹状部材に調整間柱（１７）の凸部を摺動可能に嵌装したことを特徴とする間仕切壁。
【請求項４】
請求項３記載の間仕切壁において、前記連結具（３０）と横幅伸縮部（１５）を、前記蝶番ガイド（４０）に入れ替え装着可能としたことを特徴とする間仕切壁。
【発明の詳細な説明】
【０００１】
【発明の属する技術分野】
本発明は、間仕切壁の横幅を調整する機構に関する。
【０００２】
【従来の技術】
従来の間仕切壁の施工においては、たとえば、壁パネルを床及び天井にビス打ちされたランナーやレールに立てこむという形態がとられていた。該壁パネルは、設置を容易とするために簡易的に構成するものであって、単に木製又は樹脂製の板体を張り合わせる等のものであって、作り付けの壁（建築壁）と比べて質感及び遮音性が乏しいものであった。さらに、間仕切りを変更する際には、必然的にランナーやレールを取り外すこととなり、取り外した後は、ビス跡等が残ってしまい、内装を痛めてしまうことがあったのである。そして、壁パネルの配置は、ランナーやレールの配置によって限定されてしまうため、間仕切りの構成の自由度が少なかったのである。上記作業は、入念な大工工事によらなければ精度のよい立てつけが出来ず、居住者が簡単に出来るものではなかったのである。たとえば、作り付けの建築壁と新たに設置する間仕切壁の間に隙間を生じてしまうなど、間仕切りの遮蔽性が十分ではなかったのである。そして、壁体を移動させる際には、持ち上げて移動させるため、作業者の負担となるものであった。
【０００３】
【発明が解決しようとする課題】
従来技術の不具合点に鑑みて、本発明は、ランナーやレールを床及び天井に取り付けることなく、居住者が簡単に間仕切壁の変更を行えることを提案するものである。特に、立て付けの際に生じてしまう建築壁と間仕切壁の間に空間を生じないようにして、遮蔽性を向上させるとともに、間仕切る部屋の広さに柔軟に対応できる横幅の調節機構をもった間仕切壁を提案するものである。
【０００４】
【課題を解決するための手段】
本発明の解決しようとする課題は以上のごとくであり、次に該課題を解決する為の手段を説明する。
【０００５】
請求項１においては、室内空間を間仕切るための一体型可動式間仕切壁（１）を、２枚の可動式間仕切壁（６・７）を連結して構成し、該可動式間仕切壁（６・７）の下部に、移動輪（２２）と昇降装置（２１）を配置し、上部に上昇時に天井に対して当接させる幕板（２）を配設し、横端面には、係止溝（４１）を有する蝶番ガイド（４０）を配設し、該隣接する可動式間仕切壁（６・７）との間を、前記蝶番ガイド（４０）の係止溝（４１）に、連結具（３０）を脱着可能に係止することで連結し、非連結側の可動式間仕切壁（６・７）の横端面に、柱状の調整間柱（１７）及び伸縮装置（１６）より構成した横幅伸縮部（１５）を取り外し可能に配設し、該調整間柱（１７）を可動式間仕切壁（６・７）の横側面に対して伸縮装置（１６）により伸縮可能に固定したものである。
【０００６】
請求項２においては、請求項１記載の間仕切壁において、前記横幅伸縮部（１５）を、可動式間仕切壁（６・７）の側の前記蝶番ガイド（４０）に、脱着可能としたものである。
【０００７】
請求項３においては、請求項２記載の間仕切壁において、前記調整間柱（１７）を平面断面視凸形とし、前記可動式間仕切壁（６・７）の横端面を凹状部材で構成し、該凹状部材に調整間柱（１７）の凸部を摺動可能に嵌装したものである。
【０００８】
請求項４においては、請求項３記載の間仕切壁において、前記連結具（３０）と横幅伸縮部（１５）を、前記蝶番ガイド（４０）に入れ替え装着可能としたものである。
【０００９】
【発明の実施の形態】
次に、本発明の実施の形態を、図面に基づいて説明する。図１は可動式間仕切壁の側面図、図２は同じく斜視図、図３は蝶番ガイドの平面図、図４は同じく側面図、図５は可動式間仕切壁に蝶番ガイドを固設した状態を表す斜視図、図６は三点回動式連結金具の平面図、図７は同じく側面図、図８は可動式間仕切壁を三点回動式連結金具で連結した状態を示す平面断面図、図９は二枚の可動式間仕切壁が同じ高さに位置する際の三点回動式連結金具の側面図、図１０は一方の可動式間仕切壁を上昇させた際の三点回動式連結金具の側面図、図１１は蝶番ガイドをチャネルで構成した実施例を表す平面図、図１２は同じく側面図、図１３は三点回動式連結金具の他の実施例を表す側面図、図１４は同じく該金具を用いて連結した平面断面図である。また、図１５は幕板の構造を表す前面図、図１６は可動式間仕切壁を上昇させた状態を表す側面図、図１７は同じく前面図、図１８は可動式間仕切壁が移動可能な状態を表す側面図、図１９は同じく前面図、図２０は横幅伸縮部の斜視図、図２１は図１のＢ−Ｂ線の平面断面図、図２２は図１のＡ−Ａ線の平面断面図、図２３は同じく横幅伸縮部を伸ばした状態を表す平面断面図、図２４は間仕切りの実施例を表す側面図である。
【００１０】
まず、図１を用いて一体型可動式間仕切壁１の概要について説明する。図１に示すように、一体型可動式間仕切壁１は、二枚の壁体となる可動式間仕切壁６・７を連結具３０・３０によって連結することで構成されている。そして、該連結具３０・３０を取り外すことによって、二枚の可動式間仕切壁６・７は分割させることができるものとする。該可動式間仕切壁６・７は、グラスウール等の吸音材１１を、二枚の木製又は石膏ボード等の化粧板１０・１０で挟むようにして構成されている。該吸音材１１の端面には、溝型鋼３（図５に示す）が取り付けられ、二枚の化粧板１０・１０に内装される構成としている。上下中央部には、補強板８を横木として内装し、壁全体の強度を向上させている。そして、前記連結具３０・３０を取り付ける蝶番ガイド４０・４０・・・と、隣接する可動式間仕切壁６・７を一直線上に配列させるためのガイド具９・９・・・を、前記溝型鋼３の上部及び下部の二箇所に配設している。但し、この配置数は１以上として限定するものではない。
【００１１】
そして、該可動式間仕切壁６・７の上部には、押しバネ４・４により上下方向に可動とする幕板２が配設されている。一方、該可動式間仕切壁６・７の下部には、昇降装置２１及び移動輪としてのキャスター２２・２２を内装した昇降部２０が配設されている。このように構成し、本実施例の可動式間仕切壁６・７は、キャスター２２・２２によって移動可能とし、さらに該昇降装置２１により昇降可能とすることで、上昇時に天井に対して前記幕板２を当接させることによって、天井と床面の間で突っ張らせることによって設置するものである。また、可動式間仕切壁７の右端面には、調整間柱１７及び伸縮装置１６を内装した横幅伸縮部１５が、取り外し可能に配設されている。
【００１２】
そして、図２に示されるように、以上のごとく構成された一体型可動式間仕切壁１は、二枚の可動式間仕切壁６・７を前記連結具３０（図示しない）を回動軸として、自由に開閉角度を設定して間仕切りを行うものである。また、間仕切を変更する際においても、「Ｖ」字に折り曲げることにより、自立させて移動させて行うものとする。
【００１３】
次に図３乃至図１２を用いて、連結具３０の第一実施例について説明する。まず、図３及び図４を用いて、蝶番ガイド４０について説明する。該蝶番ガイド４０の表面には、側面視において中央に上部から下部にかけて円柱状で外方向に開放された係止溝４１が形成されている。該係止溝４１の下部には、係止板４２が配設され、該係止板４２により、係止溝４１の下端を塞いで閉じた構成としている。さらに、該蝶番ガイド４０の表面には、ボルト挿嵌孔４３・４３が複数（本実施例で四箇所）穿設されている。該蝶番ガイド４０は、金属製としてもよいし、また合成樹脂等を素材として用いてもよい。また、該蝶番ガイド４０は上下方向の長さを後述する三点回動式連結金具３１よりも長く構成している。これは、前述の昇降装置２１によって、連結される可動式間仕切壁６・７の高さが異なった際には、一方の蝶番ガイド４０が三点回動式連結金具３１を押し上げることとなるため、三点回動式連結金具３１がもう一方（低い位置にある可動式間仕切壁）の蝶番ガイド４０の係止溝４１から外れないように、蝶番ガイド４０上での摺動の幅を大きくとるためである。
【００１４】
また、図５に示すごとく、吸音材１１・１１の横幅は、化粧板１０・１０よりも短く構成して、端部は凹状部材である平面視「Ｃ」形の溝型鋼３で構成することにより、可動式間仕切壁６・７の端部は、該溝型鋼３を化粧板１０・１０で内装する構成としている。なお、該溝型鋼３は「Ｃ」形に限ることなく、平面視「コ」形の溝型鋼でもよい。そして、該溝型鋼３の底面に、前記蝶番ガイド４０を固設させる。固設された状態では、該蝶番ガイド４０は、化粧板１０・１０の間に完全に内装される構成としている。なお、蝶番ガイド４０及びガイド具９（図１に示す）の位置においては、溝型鋼３の「Ｃ」形の端をなすリップ部をカットし、ガイド具９及び後述する三点回動式連結金具３１が、溝型鋼３に当たらないようにしている。
【００１５】
次に、図６及び図７を用いて三点回動式連結金具３１について説明する。該三点回動式連結金具３１は、連結プレート３３・３３と、該連結プレート３３・３３の間に回動ピン３４・３４で回動自由に枢結した二枚の蝶番プレート３２・３２からなり、連結プレート３３は左右両側が同じ構成とされ、蝶番プレート３２は平面視クランク状に構成され、その外端部は、本体の厚みより直径を大きくした円柱状の係止部３５が形成され、内側端にはパイプ状の枢支部が形成されている。連結プレート３３・３３も同一部品として、平板の両側に回動ピン３４を挿入して枢支連結するためのパイプ部が形成されている。このように構成し、該三点回動式連結金具３１は、各回動ピン３４・３４・・・を回動軸として、連結プレート３３・３３・・・及び、蝶番プレート３２・３２を自由に回動することができる構造としている。該三点回動式連結金具３１は、金属製としてもよいし、また合成樹脂等を素材として用いてもよい。
【００１６】
以上のごとく構成された三点回動式連結金具３１を使用して間仕切壁とする実施例を図８乃至図１０を用いて説明する。図８に示すごとく、可動式間仕切壁６・７を近づけて位置させ、蝶番ガイド４０・４０の係止溝４１・４１に、三点回動式連結金具３１の係止部３５・３５を合わせるようにして、蝶番ガイド４０の上から三点回動式連結金具３１を挿入するのである。こうして、二枚の可動式間仕切壁６・７が回動自由に連結されるのである。
【００１７】
また、前述のごとく、本実施例の可動式間仕切壁６・７は天井と床面の間を突っ張らせて設置するため、可動式間仕切壁６・７の昇降作業の際には、必然的にお互いの蝶番ガイド４０・４０の高さが異なることになる。図９は可動式間仕切壁６・７の蝶番ガイド４０・４０が、お互いに同じ高さである状態を表している。この状態から、図１０に示すように、可動式間仕切壁６が前記昇降装置２１によって上に移動した場合は、三点回動式連結金具３１は、蝶番ガイド４０に対して、摺動自由に挿嵌されているので、可動式間仕切壁６の蝶番ガイド４０の係止板４２に係止することで上に持ち上げられるのである。すなわち、該三点回動式連結金具３１は、可動式間仕切壁６・７を上下方向に個別に昇降可能とし、かつ回動自由に連結をしているのである。さらに、前述のごとく、該蝶番ガイド４０は上下方向の長さを三点回動式連結金具３１よりも長く構成しているので、該三点回動式連結金具３１が蝶番ガイド４０から外れてしまうことがないのである。
【００１８】
さらに、前記蝶番ガイド４０と三点回動式連結金具３１の組み合わせの構成は、上記のものに限るものでない。たとえば、図１１及び図１２に示すごとく、平面視「コ」形のチャネル９０を一回り大きなチャネル９１に、チャネル９０外側面とチャネル９１の内側面の間に空間を持たせるように重ね、リベット９２・９２を両チャネル９０・９１の上部に貫通させて結合する。さらに、前記溝型鋼３に固設するための固設孔９３・９３が、両チャネル９０・９１の溝底部を貫通している。また、前記三点回動式連結金具３１の蝶番プレート３２・３２を、図１３に示すごとく、側面視Ｌ形のリベットガイド９４（蝶番プレート３２の下部から上部にかけて溝を形成している）を貫通させた蝶番プレート９５・９５として構成する。このようにして、図１４に示すごとく、リベット９２の位置に前記リベットガイド９４を合わせるようにして、蝶番プレート９５・９５を挿入することで連結するのである。また、図１３に示すごとく、回動ピン３４にバネ９６を配し、該バネ９６の両端によって隣接する連結プレート３３・３３の同一面を押さえるようにして、三点回動式連結金具３１が折れ曲がるように付勢させて、可動式間仕切壁６・７が該バネ９６によって引き合う（当接しやすくする）ようにさせることも出来る。
【００１９】
次に、図１及び図１５を用いて突っ張り機構について説明する。図１及び図１５に示すごとく、側面に平行に配設された複数のバネ４・４が、幕板２・２を天井方向（側面視上方向）に付勢している。なお、本実施例では各可動式間仕切壁６・７につき、二個ずつのバネ４・４を配設している。該幕板２は図１５の前面視に示されるごとく、凸形の枠体とし、凸部を構成する方形のガイド枠１８を下向きに配設して、前面視逆さ凸形状としている。そして、天井３面に対しては、平行に面で当接する構成としている。そして、該幕板２・２の天井３との当接面には、ゴムまたは軟質樹脂からなる高摩擦抵抗部材として天井面ノンスリップ材５・５が貼り付けてあり、幕板２・２は該天井面ノンスリップ材５・５を介装して、前記バネ４・４により天井３に付勢されている。
【００２０】
そして、図１５の前面視に示されるごとく、可動式間仕切壁６・７の上部には、吸音材１１の上で、かつ、化粧板１０・１０の間に挟まれるようにして、幕板２と同じ長さの断面視略「Ｃ」形のガイドチャネル１４が開口部を上にして配設されている。また、該ガイドチャネル１４の開口部には、幕板２の下部を構成している方形のガイド枠１８が、進退自由に配設されている。以上のごとく構成したガイドチャネル１４及びガイド枠１８に、円筒形の「コ」形のバネ枠１３・１３を開口部を向かい合わせて配設させ、該バネ枠１３・１３にバネ４が介装されている。該バネ枠１３は、バネ４がズレることなく伸縮を可能にするもので、円筒形としてバネ４を内装する構成としている。
【００２１】
次に図１６乃至図１９を用いて、可動式間仕切壁６・７の下部の構成について説明する。まず、化粧板１０・１０の下部の構成について説明する。図１６及び図１７に示すごとく、可動式間仕切壁６の下部には、化粧板１０・１０に内接し、可動式間仕切壁６の側面と同じ長さで、前面視「コ」字形の下部ガイドチャネル８１・８１を開口部を内側にして、向かい合わせる形で内装されている。そして、該下部ガイドチャネル８１・８１の上部には、可動式間仕切壁６と平行に、二個のキャスター２２・２２を下に向けて配設している前面視略「Ｃ」字形のマウントチャネル５４が、その開口部を上にして配設されている。また、側面視において、該キャスター２２・２２の内側には、昇降装置２１・２１が左右均等に配設されている。
【００２２】
該昇降装置２１は本実施例ではネジ杆よりなる昇降ロッド８５と、該昇降ロッド８５に螺装したナット体よりなり、該ナット体を笠歯車で回動することにより、後述する連動軸５７及び電動工具５５の水平方向の回転軸方向を、垂直方向の回転軸方向とすることにより垂直昇降ロッド８５を垂直方向に昇降させるが、パンタグラフ式やシリンダー等を用いても良く、限定するものではない。該昇降装置２１・２１の昇降ロッド８５・８５の先端は、前記マウントチャネル５４の下部に係止しており、マウントチャネル５４を昇降させる構成としている。さらに、該マウントチャネル５４は、前記下部ガイドチャネル８１・８１に対して、溶接又は接着材などを用いて固設され、化粧板１０・１０及び吸音材１１と一体構成としている。なお、本実施例では該二個の昇降装置２１・２１を可動式間仕切壁６の側面と平行に配設し、左側に位置する昇降装置２１の駆動力を、連動軸５７を介して、右側に位置する昇降装置２１に伝えることにより、左右に位置する昇降装置２１・２１を同時に昇降させる構成としている。しかし、本実施例に限ることなく、昇降装置２１の個数は二個以上としてもよいし、各昇降装置２１を独立して昇降させる構成としてもよい。
【００２３】
次に、化粧板１０・１０の下部に配設した昇降装置枠８２について説明する。図１７の前面視に示すごとく、該昇降装置枠８２は、前面視凸形でチャネルを構成している。そして、該チャネルの内部には、前記キャスター２２及び昇降装置２１が内装されている。そして、該昇降装置枠８２の上部には、係止フランジ８３・８３が可動式間仕切壁６の内側から外側に向けて突設されており、該係止フランジ８３・８３が前記下部ガイドチャネル８１・８１に係止するまで、化粧板１０・１０を上昇させることができる構成としている。一方で、該昇降装置枠８２の下部にはキャスター２２を床面１９に当接させるための平面視円形のキャスター孔８４が貫通して設けられている。該キャスター孔８４は、図１６に示すごとく、キャスター２２・２２の下部に位置するように二箇所に配設されている。そして、可動式間仕切壁６の床面との接触面には、床面ノンスリップ材２３・２３が、前記昇降装置枠８２の下部に、キャスター孔８４・８４の位置を除いて貼設されている。また、前記昇降装置２１を操作するための工具挿入孔５６が、該昇降装置枠８２の外側から内側にかけて穿設されており、昇降装置２１を外部から操作することを可能としている。本実施例では、図１６に示すごとく、電動工具５５を用いて昇降装置２１の昇降ロッド８５を昇降させる構成としているが、レンチ等を用いて手動で昇降させる構成としてもよい。
【００２４】
図１８及び図１９は、可動式間仕切壁６の移動時の昇降部２０の状態を表すものである。移動時においては、可動式間仕切壁６を下げる方向に昇降装置２１を操作して、キャスター２２・２２をキャスター孔８４・８４を通して床面１９に当接させ、床面ノンスリップ材２３と床面１９の間に隙間を生じさせる。この操作に連動して、前記幕板２と天井３との間には隙間が生じるのである。こうして可動式間仕切壁６が移動可能となるのである。移動後は、前記操作と反対に、可動式間仕切壁６を上げる方向に昇降装置２１を操作することで、キャスター２２・２２が床面１９から離れ、前記幕板２が天井３に当接することで、設置が完了するのである。
【００２５】
以上の構成により、可動式間仕切壁６を天井３及び床面１９に突っ張らせて設置するのである。すなわち、昇降装置２１・２１の昇降の操作に応じて、マウントチャネル５４を昇降させ、さらに該マウントチャネル５４と一体構成とした化粧板１０・１０及び吸音材１１を昇降させる構成とし、該化粧板１０・１０の上部に位置する前記幕板２を天井３に付勢させるのである。
【００２６】
次に、図１及び図２０乃至図２２を用いて、横幅伸縮部１５について説明する。図２０に示すごとく、該横幅伸縮部１５は柱体をなし、伸縮装置１６等を内装する調整間柱１７と、側面視「コ」型の嵌合金具９２・９２及び円柱状の連結柱９６・９６を上下均等に二箇所に配設した断面視方形の支持柱９１からなるものである。また、最上部には、前記幕板２と同様に天井面ノンスリップ材５が貼設されている。
【００２７】
図２１は図１のＢ−Ｂ線の切断面の平面図を表すものである。前記支持柱９１の左側面（吸音材１１側）には、前記円柱状の連結柱９６が溶接等によって配設され、前記蝶番ガイド４０に挿嵌させる前記三点回動式連結金具３１と同じようにして、該連結柱９６を蝶番ガイド４０の係止溝４１に挿嵌することで、支持柱９１と可動式間仕切壁６を連結している。なお、該連結柱９６を係止溝４１に挿嵌させ横幅伸縮部１５を取り付ける際は、可動式間仕切壁６及び横幅伸縮部１５を床に倒して行うものとする。
【００２８】
図２２は図１のＡ−Ａ線の切断面の平面図を表すものである。前記嵌合金具９２に穿設された方形の嵌合孔９７に支持柱９１を挿嵌させることにより、支持柱９１と二個の嵌合金具９２・９２を一体構成としている。また、該嵌合金具９２は、平面視において、化粧板１０・１０と吸音材１１で形成される枠内に収まる大きさとし、支持柱９１が化粧板１０・１０の間で、平面視において、上下方向にぶれないようにしている。
【００２９】
そして、該嵌合金具９２には、伸縮装置１６が伸縮ロッド９３を介して連結されている。本実施例では、嵌合金具９２を上下二箇所に配設し、該嵌合金具９２・９２に夫々伸縮装置１６を配設する構成としている。該伸縮装置１６は本実施例ではネジ杆よりなる伸縮ロッド９３と、該伸縮ロッド９３に螺装したナット体よりなり、該ナット体を笠歯車で回動することにより、後述する電動工具５５の伸縮ロッド８５に対して直角方向の回転軸方向を変換することにより、伸縮９３を伸縮させるが、パンタグラフ式やシリンダー等を用いても良く、限定するものではない。なお、本実施例では上下に位置する伸縮装置１６・１６を可動式間仕切壁６の側面と垂直に二箇所に配置しているが、伸縮装置１６の個数は二個以上としてもよい。
【００３０】
該伸縮装置１６の基部は平面断面視凸型の枠体である前記調整間柱１７に固設され、該調整間柱１７に内装されている。該調整間柱１７は、可動式間仕切壁６と外見上同じ厚さとし、その左側（吸音材１１側）に段付部を構成し、外段付部を化粧板１０・１０の端面を構成する前記溝型鋼３の「Ｃ」形のフランジ部９５に対して摺動させるガイド部９０・９０として、化粧板１０・１０に対して横方向に摺動可能に嵌装されている。このように構成することで、図２２に示すごとく、調整間柱１７が横方向（化粧板１０・１０から離れる方向に）に摺動した際に、調整間柱１７と化粧板１０・１０の間に隙間が生じないように構成している。
【００３１】
また、該調整間柱１７の右側面の上から下にかけて、クッション材９４が貼設されている。なお、該クッション材９４はゴム又は軟質樹脂等からなるものであって、調整間柱１７と建築壁９８（図示しない）を密に当接させる効果を奏するものである。なお、調整間柱１７を建築壁９８に当接させることなく、可動式間仕切壁６の端部の柱として使用する際には、居住者は該クッション材９４をはがす事ができるものとする。
【００３２】
さらに、図２０に示すごとく、該調整間柱１７の前記伸縮装置１６・１６に位置には、伸縮装置１６を操作するための横幅伸縮用工具挿入孔５９・５９が、該調整間柱１７の外側から内側にかけて穿設されており、伸縮装置１６・１６を外部から操作することを可能としている。本実施例では、電動工具５５を用いて伸縮させることとしているが、レンチ等を用いて手動で昇降させる構成としてもよい。
【００３３】
以上のように構成し、調整間柱１７を可動式間仕切壁６に対して摺動させるのである。例えば、図２２に示すごとく、調整間柱１７を右側方向に伸ばすことで建築壁９８（図示しない）との隙間を埋める際には、電動工具５５によって、伸縮装置１６の伸縮ロッド９３を伸ばす方向に操作させることにより、伸縮ロッド９３・９３の先端に位置する嵌合金具９２・９２を基部として、調整間柱１７が可動式間仕切壁６に対して右方向に摺動させるのである。
【００３４】
そして、図２４に示すごとく、前記一体型可動式間仕切壁１・１を複数連結し、さらに端部を横幅伸縮部１５・１５で構成することにより、建築壁９８・９８との間に隙間を構成することがないので、間仕切りの遮蔽性を向上させることができるのである。
【００３５】
【発明の効果】
本発明は以上のごとく構成したので、次のような効果を奏するのである。
請求項１の如く、室内空間を間仕切るための一体型可動式間仕切壁（１）を、２枚の可動式間仕切壁（６・７）を連結して構成し、該可動式間仕切壁（６・７）の下部に、移動輪（２２）と昇降装置（２１）を配置し、上部に上昇時に天井に対して当接させる幕板（２）を配設し、横端面には、係止溝（４１）を有する蝶番ガイド（４０）を配設し、該隣接する可動式間仕切壁（６・７）との間を、前記蝶番ガイド（４０）の係止溝（４１）に、連結具（３０）を脱着可能に係止することで連結し、非連結側の可動式間仕切壁（６・７）の横端面に、柱状の調整間柱（１７）及び伸縮装置（１６）より構成した横幅伸縮部（１５）を取り外し可能に配設し、該調整間柱（１７）を可動式間仕切壁（６・７）の横側面に対して伸縮装置（１６）により伸縮可能に固定したので、可動式間仕切壁６・７を連接することで形成される間仕切壁の幅を調節することが可能となり、間仕切る空間の幅に応じて、建築壁９８との間に隙間を生じさせることなく、間仕切られる空間の遮蔽性を向上させることができるのである。
【００３６】
また、前記伸縮装置の基部に柱状の枠体である調整間柱を配設することで、前記伸縮装置と該枠体を一体構成の横幅伸縮部とすることができたのである。
また、前記壁体の端面に脱着可能に配設したので、居住者が簡単に該横幅伸縮部１５を取り扱うことができるのである。
【００３７】
請求項２に記載の如く、前記横幅伸縮部を前記蝶番ガイドに、脱着可能としたので、該横幅伸縮部１５を脱着する際には工具等を必要とすることなく、簡単に作業をすることができるのである。
【００３８】
請求項３に記載の如く、前記調整間柱（１７）を平面断面視凸形とし、前記可動式間仕切壁（６・７）の横端面を凹状部材で構成し、該凹状部材に調整間柱（１７）の凸部を摺動可能に嵌装したので、可動式間仕切壁６・７と横幅伸縮部１５の間に隙間を生じることがなく、可動式間仕切壁６・７と横幅伸縮部１５の一体感を演出する事が出来るのである。
【００３９】
請求項４に記載のごとく、前記連結具と横幅伸縮部を、前記蝶番ガイドに入れ替え可能としたので、室内の幅に応じて可動式間仕切壁６・７を単体で使用する際において、蝶番ガイド４０に簡単に取付けることが出来るのである。たとえば、可動式間仕切壁６を一枚で使用する際も、該可動式間仕切壁６の両側面に、横幅伸縮部１５を取付けて、間仕切り幅を調整することができるのである。
【図面の簡単な説明】
【図１】  可動式間仕切壁の側面図である。
【図２】  同じく斜視図である。
【図３】  蝶番ガイドの平面図である。
【図４】  同じく側面図である。
【図５】  可動式間仕切壁に蝶番ガイドを固設した状態を表す斜視図である。
【図６】  三点回動式連結金具の平面図である。
【図７】  同じく側面図である。
【図８】  可動式間仕切壁を三点回動式連結金具で連結した状態を示す平面断面図である。
【図９】  二枚の可動式間仕切壁が同じ高さに位置する際の三点回動式連結金具の側面図である。
【図１０】  一方の可動式間仕切壁を上昇させた際の三点回動式連結金具の側面図である。
【図１１】  蝶番ガイドをチャネルで構成した実施例を表す平面図である。
【図１２】  同じく側面図である。
【図１３】  三点回動式連結金具の他の実施例を表す側面図である。
【図１４】  同じく該金具を用いて連結した平面断面図である。
【図１５】  幕板の構造を表す前面図である。
【図１６】  可動式間仕切壁を上昇させた状態を表す側面図である。
【図１７】  同じく前面図である。
【図１８】  可動式間仕切壁が移動可能な状態を表す側面図である。
【図１９】  同じく前面図である。
【図２０】  横幅伸縮部の斜視図である。
【図２１】  図１のＢ−Ｂ線の平面断面図である。
【図２２】  図１のＡ−Ａ線の平面断面図である。
【図２３】  同じく、横幅伸縮部を伸ばした状態を表す平面断面図である。
【図２４】  間仕切りの実施例を表す側面図である。
【符号の説明】
１  一体型可動式間仕切壁
２  幕板
３  天井
６  可動式間仕切壁
７  可動式間仕切壁
１５  横幅伸縮部
１６  伸縮装置
１７  調整間柱
２０  昇降部
２２  キャスター
３０  連結具
３１  三点回動式連結金具
４０  蝶番ガイド
９１  支持柱
９２  嵌合金具
９３  伸縮ロッド
９４  クッション材
９５  連動軸
９６  連結柱
【図１】
0003872942.tif 000002
【図２】
0003872942.tif 000003
【図３】
0003872942.tif 000004
【図４】
0003872942.tif 000005
【図５】
0003872942.tif 000006
【図６】
0003872942.tif 000007
【図７】
0003872942.tif 000008
【図８】
0003872942.tif 000009
【図９】
0003872942.tif 000010
【図１０】
0003872942.tif 000011
【図１１】
0003872942.tif 000012
【図１２】
0003872942.tif 000013
【図１３】
0003872942.tif 000014
【図１４】
0003872942.tif 000015
【図１５】
0003872942.tif 000016
【図１６】
0003872942.tif 000017
【図１７】
0003872942.tif 000018
【図１８】
0003872942.tif 000019
【図１９】
0003872942.tif 000020
【図２０】
0003872942.tif 000021
【図２１】
0003872942.tif 000022
【図２２】
0003872942.tif 000023
【図２３】
0003872942.tif 000024
【図２４】
0003872942.tif 000025